(57)【特許請求の範囲】
【請求項１】
ライニングと、前記ライニングが取り付けられるプレッシャプレートとを備えたディスクブレーキパッドであって、
前記プレッシャプレートには当該プレッシャプレートを貫いておりその内部の一部に前記ライニングがモールドされている貫通孔が形成されており、
前記貫通孔に前記ライニングが一部モールドされることで残されて形成される空間部には、グリースと当該グリースに浮遊した状態に埋められる錘とが封入されており、
前記グリースの流動による粘性抵抗と前記錘による慣性抵抗とによってブレーキ鳴きを抑制することから成るディスクブレーキパッド。
【請求項２】
前記空間部は、前記プレッシャプレートの前記ライニングとは反対側に係止されるシムによって封鎖されていることから成る請求項１に記載のディスクブレーキパッド。
【請求項３】
前記空間部は、前記プレッシャプレートの隅部に形成されていることから成る請求項１又は２に記載のディスクブレーキパッド。
【請求項４】
前記空間部において前記グリースの前記ライニングへの浸透を防止する浸透防止手段が設けられていることから成る請求項１〜３のいずれか１項に記載のディスクブレーキパッド。
【請求項５】
前記浸透防止手段は、前記プレッシャプレートの前記ライニングとは反対側から少なくとも前記ライニングと前記グリースとの間に施されている塗装層であることから成る請求項４に記載のディスクブレーキパッド。
【請求項６】
前記浸透防止手段は、前記錘と前記グリースとが封入され且つ前記空間部に装着されるカプセルであることから成る請求項４に記載のディスクブレーキパッド。
【請求項７】
前記浸透防止手段は、前記空間部に前記ライニングと前記グリースとの間を仕切る態様で装着された仕切り板であることから成る請求項４に記載のディスクブレーキパッド。
【発明の詳細な説明】
【技術分野】
【０００１】
この発明は、乗用車、トラック、バス、産業機械等に用いられるディスクブレーキに関する。
【背景技術】
【０００２】
従来、回転するブレーキ用ロータに対してディスクブレーキ用パッドを押し当てることにより回転軸にブレーキを加えるディスクブレーキにおいては、回転するロータに対してパッドが制動をかけるとき或いは引き摺りの際に、ロータとパッドとが摩擦係合することによって生じた摩擦振動に起因して、ロータやブレーキ部品が振動することがある。ロータやブレーキ部品の振動の固有値が一致すると、固有値連成によって振動が共振状態となる。一般のブレーキでは、鳴きの振動数を吸収する働きが弱いため、共振を抑えることができずにブレーキ鳴きが発生する。
【０００３】
ディスクブレーキにおけるブレーキ鳴きを防止する対策としては、従来から多くの提案がされている。その一つとして、ロータ（ディスク板）の振動に着目し、ディスク板の空間部内にディスク板の回転軸に平行な方向に沿って移動可能な錘を設け、錘と錘の移動端との間に弾性部材を機材させたディスクブレーキが提案されている（特許文献１）。ディスク板が振動したときには、錘の慣性で弾性部材に付勢力が発生し、この付勢力がディスク板の振動方向に対して逆方向に作用し、ディスク板の振動を抑制してブレーキ鳴きを抑えることを図っている。
【０００４】
また、ディスクブレーキにおけるブレーキ鳴きを防止する対策の一例として、作動機構を構成するピストンの振動に着目し、シリンダ内に嵌入する中空円筒状部分と、その中空円筒状部分の両端間に内径側にて、パッド押圧側端に偏らせて位置させた壁部分と、その壁部分の側面から突出させたダイナミックダンパを形成する突出部分とを鋳鉄にて一体に形成したディスクブレーキ用ピストンがある（特許文献２参照）。このディスクブレーキ用ピストンによれば、ピストンの固有振動数の値を調整して、キャリパの固有振動数の値をブレーキ鳴きを抑制することができる値に設定することが図られている。
【０００５】
しかしながら、ロータの空間部を利用するブレーキ鳴き対策は、そうした空間部を持つロータを持つブレーキの形式が限定されるので、一般的に適用可能な対策ではない。また、ブレーキ鳴きの特定の周波数については抑制効果があるが、それ以外の周波数については、一般的に効果が期待し難く、この点でなお一層に改善が求められている。
【特許文献１】特開平７−１６７１７６号公報（段落［００１６］、図３）
【特許文献２】特開平１０−１２２２７９号公報（段落［００１２］〜［００１４］、図３）
【発明の開示】
【発明が解決しようとする課題】
【０００６】
そこで、粘性物と錘を利用して、ブレーキ鳴きを効果的に防止する点で解決すべき課題がある。
【０００７】
この発明の目的は、粘性物と錘を利用して、安価で且つ単純な構造でブレーキ鳴きを効果的に防止することができるディスクブレーキ用パッドを提供することである。
【課題を解決するための手段】
【０００８】
上記の課題を解決するため、この発明によるディスクブレーキパッドは、ライニングと、前記ライニングが取り付けられるプレッシャプレートとを備えたディスクブレーキパッドとを備え、前記プレッシャプレートには当該プレッシャプレートを貫いておりその内部の一部に前記ライニングがモールドされている貫通孔が形成されており、前記貫通孔に前記ライニングが一部モールドされることで残されて形成される空間部には、グリースと当該グリースに浮遊した状態に埋められる錘とが封入されており、前記グリースの流動による粘性抵抗と前記錘による慣性抵抗とによってブレーキ鳴きを抑制することから成っている。
【０００９】
このディスクブレーキパッドによれば、グリースの流動による粘性抵抗は、振動の速度に対応するダンパとして機能し、錘による慣性抵抗は、振動の変位に対応する抵抗と機能して、両抵抗の相乗効果によって、ブレーキ鳴きを抑制することができる。
【００１０】
このディスクブレーキパッドにおいて、前記プレッシャプレートの前記ライニングとは反対側に係止され且つ前記プレッシャプレートとの間に前記グリースが塗布されているシムを備え、前記シムの外側に前記錘を配することができる。グリースと錘とをこのように組み合わせた形式のものでは、幅広い周波数帯にわたってノイズ抑制効果があることが確認されている。
【００１１】
このシムを持つディスクブレーキパッドにおいて、前記プレッシャプレートの前記ライニングとは反対側に補助シムを係止し、前記グリースは前記シムと前記補助シムとの間に塗布することができる。この形式のディスクブレーキパッドでは、幅広い周波数帯にわたってノイズ抑制効果があるとともに、グリースはシムと補助シムとの間に挟まれるので、シムと補助シム及びグリースをまとめて取り扱うことができ、特に、流動性のあるグリースの扱いが便利である。
【００１２】
シムを持つ上記のディスクブレーキパッドにおいて、前記錘を、前記ライニングの隅部に対応する位置に配置することができる。ライニングの四隅は、ブレーキ作動時の振動の大きさが大きくなる部位であるので、かかる隅部に錘を配置することで、高い制振効果を得ることができる。
【００１３】
グリースの流動による粘性抵抗と錘による慣性抵抗とを組み合わせた上記ディスクブレーキパッドにおいて、前記プレッシャプレートに形成される空間部に、前記錘を浮遊した状態で前記グリースが封入されている。この形式のディスクブレーキパッドによれば、幅広い周波数帯にわたってノイズ抑制効果がある。
【００１４】
空間部にグリースと錘とを封入したディスクブレーキパッドにおいて、前記空間部は、前記プレッシャプレートの前記ライニングとは反対側に係止されるシムによって封鎖することができる。この形式のディスクブレーキパッドによれば、空間部に封入されているグリースはシムによって流出不可能となるので、簡単な構造でありながら錘が外部に露出せず、破壊や分解の可能性がなく、恒久対策が可能である。又、グリースの流出を防ぐことができまたその持続性も備えているディスクブレーキパッドを得ることができる。
【００１５】
空間部にグリースと錘とを封入した上記各ディスクブレーキパッドにおいて、前記空間部は、前記プレッシャプレートの隅部に形成することができる。プレッシャプレートの四隅は、ブレーキ作動時の振動の大きさが最も大きくなる部位であるので、かかる隅部に錘を配置することで、高い制振効果を得ることができる。
【００１６】
空間部にグリースと錘とを封入した上記各ディスクブレーキパッドにおいて、前記プレッシャプレートを貫く貫通孔として形成しておき、前記貫通孔の一部に前記ライニングをモールドすることで、プレッシャプレートには、モールドされずに残されて空間部が形成される。プレッシャプレートには、摩擦材であるライニングの剪断に対する機能を向上するために、ライニングをモールドすることができる貫通孔を形成することが一般的であり、本発明では、この貫通孔においてライニングがモールドされずに残されて形成された空間部を、グリースと錘との封入スペースとしてそのまま利用している。
【００１７】
粘性抵抗を与えるグリースは、本発明によるブレーキ鳴き防止に必須のものであるが、空間部においてはグリースとライニングとが接触しているので、グリースがライニングへ浸透する可能性がある。そこで、ライニングとグリースとの間を遮断して、グリースのライニングへの浸透を防止する浸透防止手段を設けることが好ましい。グリースとライニングとを遮断することによって、グリースのライニングへの含浸に起因したライニングの影響を未然に防止することができる。
【００１８】
前記浸透防止手段は、前記プレッシャプレートの前記ライニングとは反対側から少なくとも前記ライニングと前記グリースとの間に施されている塗装層、又は、前記錘と前記グリースとが封入され且つ前記空間部に装着されるカプセル、或いは前記空間部に前記ライニングと前記グリースとの間を仕切る態様で装着された仕切り板であるとすることができる。塗装層、カプセル又は仕切り板は、グリースとライニングとの間を遮断して、グリースのライニングへの浸透防止する。
【発明の効果】
【００１９】
この発明によるディスクブレーキパッドは、上記のように構成されているので、摩擦振動が比較的に大きいパッドに粘性抵抗と慣性抵抗との両機能を組み合わせた吸振器構造を設けることにより、効果的にブレーキ振動を吸収し、ブレーキ鳴きを抑制することができる。グリースの粘性抵抗を利用しているため、幅広い周波数の振動を吸収しノイズ抑制効果がある。そのため、ノイズ発生時の緊急対策や確認試験に最適である。また、プレッシャプレートには、摩擦材であるライニングの剪断に対する機能を向上するために、ライニングをモールドすることができる貫通孔を形成することが一般的であるが、本発明ではこの貫通孔の一部にライニングをモールドすることでライニングのプレッシャプレートへの結合を強固にし且つ当該貫通孔においてモールドされずに残されることで形成される空間部をそのまま、グリースと錘との封入スペースとして利用している。また、パッドのプレッシャプレート内の当該空間部を、プレッシャプレートのライニングとは反対側に係止されるシムによって封鎖する場合には、空間部に封入されているグリースはシムによって流出不可能となるので、簡単な構造でありながら錘が外部に露出せず、破壊や分解の可能性がなく、恒久対策が可能となる。また、一つの形態では、通常使用されているシムとグリースに錘を追加するだけの簡単な構造のため、コストアップも最小限に抑えることができる。更に、プレッシャプレートに形成された空間部においてグリースとライニングとの接触の可能性があるときには、グリースのライニングへの浸透を防止する浸透防止手段を設けることで、グリースの含浸に起因したライニングの変質、強度低下、及び性能低下といった影響を未然に防止することができる。
【発明を実施するための最良の形態】
【００２０】
以下、添付した図面に基づいて、この発明によるディスクブレーキパッドの実施形態について説明する。図１はこの発明によるディスクブレーキパッドの一実施形態について、アウタパッドとして適用されている状態を示す図、図２はこの発明によるディスクブレーキパッドの一実施形態について、インナパッドとして適用されている状態を示す図、図３は図１に示すディスクブレーキパッドのＡ−Ａ断面図、図４は図２に示すディスクブレーキパッドの作動状態を示す断面図である。
【００２１】
図１に示すディスクブレーキパッド１は、アウタ側に配設されるパッドであり、想像線で示す固定部材３に対して、同じく想像線で示すロータ４に向かって進退する方向に案内支持されている。ディスクブレーキパッド１及びロータ４を跨ぐように、作動機構を内蔵し且つ固定部材３に対してロータ４に向かって進退する方向に案内されるキャリパ５が配設されており、アウタ側のディスクブレーキパッド１は、キャリパ５に作動機構内蔵側とは反対側に備わる一対のキャリパ爪部１０，１０が、ディスクブレーキパッド１のプレッシャプレート７の裏面に当接している。
【００２２】
図２には、インナ側、即ち、作動機構側に配設されるディスクブレーキパッド２が示されている。ディスクブレーキパッド２には、作動機構に備わるピストン１１との配置関係が示されている。インナ側のディスクブレーキパッド２は、アウタ側のディスクブレーキパッド１と実質的に同等であり、再度の説明を省略する。
【００２３】
図３は、図１に示すアウタ側のディスクブレーキパッド１の一部をＡ−Ａ断面にて切断した断面図である。ディスクブレーキパッド１は、ブレーキ作動時にロータ４に向かって押し付けられるライニング６と、ライニング６が貼り付けられたプレッシャプレート７とを備えている。プレッシャプレート７の両側に突出する凸部８，８が固定部材２に形成されている凹部９，９にそれぞれ嵌まることによって、ディスクブレーキパッド１が固定部材３に対して、ロータ４に向かって進退する方向に案内される。
【００２４】
プレッシャプレート７とキャリパ爪部１０，１０との間には、この例では、プレッシャプレート７の凸部８を除く輪郭に合致するような外形線を有する金属板から成るシム１２が配設されている。シム１２は、例えばフックのような適宜の手段によって、プレッシャプレート７に係止させることができる。
【００２５】
図３に示すように、シム１２のプレッシャプレート７側には粘性物質として高粘度のグリース１３が塗布されており、シム１２は、ディスクブレーキパッド１に適用されたときには、グリース１３を挟んでプレッ４シャプレート７に装着される。
【００２６】
図１に示すように、プレッシャプレート７の四つの隅部１４には、それぞれ、錘１５が高温度用接着剤で付着されている。錘１５は鉄製のもので、例えば、断面１０ｍｍの立方体とすることができるが、これは一例であり、これ以外の仕様も可能であることは明らかである。ブレーキ作動時にロータ４との摩擦係合によって摩擦振動が発生すると、シム１２は、錘１４の慣性によって、図４に示すように、プレッシャプレート７との間に相対変位が生じる。このとき、シム１２とプレッシャプレート７との間に存在するグリース１３は、図示のように流動し、シム１２のプレッシャプレート７に対する動き（振動）に粘性抵抗を発生させる。この粘性抵抗により、プレッシャプレート７の振動が減衰され、その結果、ブレーキ鳴きの発生を抑制することができる。
【００２７】
錘１５は、シム１２において、振動の大きな四つの隅部１４に取り付けるのが好ましい。振動モードは曲げ、捩りがあるが、両者共四つの隅部での振動が大きいからである。錘１５の数は、１個以上可変であるが、多く取り付けるほうがブレーキ鳴きの抑制効果は高い。インナ側のディスクブレーキパッド２においても、アウタ側のディスクブレーキパッド１と同様に、四隅部１４に錘１５を設けることが好ましい。また、プレッシャプレート７とシム１２との間に補助シム１２ａ（図５）を設け、グリース１３をシム１２と補助シム１２ａとの間に介在させてもよい。図５は、図３に補助シムを追加した断面図である。この場合、グリースの取扱いが、簡単且つ容易になる。
【００２８】
図６は、図１〜図４に示す形式の吸振器を備えたディスクブレーキパッドの、グリースの粘度をパラメータとして、パッドの固有振動数に対する減衰比の変化を示すグラフである。パラメータとしては、ベース（グリースを用いない）と、粘度小及び粘度大とを用いている。図６（ａ）から解るように、粘度が小さいときには、５３００Ｈｚ以下で吸振効果が高く、粘度が大きいときには５３００Ｈｚ以上で吸振効果が高い。このように、グリースの粘性抵抗を利用しているために、広い周波数範囲に対して高い吸振効果を発揮することができる。また、グリース粘度を調節することで、吸振効果の高い周波数帯域を変更することができる。グリース粘度以外にも、錘の重量や形状で吸振効果のある周波数帯域の調整が可能である。図６（ｂ）は、パッド固有値（横軸）に対する減衰増加比（縦軸：吸振器有りの減衰比／オリジナルの減衰比）の変化を示すグラフである。どの固有値でも、少なくとも１．２倍、大きいものでは５倍近い増加比があることが判明している。
【００２９】
図７及び図８は、この発明によるディスクブレーキパッドの別の実施形態を示す図であり、図７はシム側から見た図、図８は図７のＢ−Ｂ断面図である。図７及び図８に示す実施形態では、錘２５がプレッシャプレート１７の隅部２４に形成されているモールド孔１８に埋め込まれる。モールド孔１８は、ライニング１６をプレッシャプレート１７に貼り付ける際に利用される孔であって、ライニング１６の一部がモールド孔１８内に入り込んだ状態で取り付けられる。ブレーキ作動時、ライニング１６に働く剪断力は、一部がモールド孔１８内に入り込んでいるライニング１６ａを介してプレッシャプレート１７に伝達されるので、ライニング１６のプレッシャプレート１７への取り付け強度を高めることができる。
【００３０】
ブレーキ作動時の振動を減衰させるためのグリースや錘は、ライニング１６をプレッシャプレート１７に貼り付ける際に用いられるモールド孔１８を利用することができる。即ち、モールド孔１８内において、ライニング１６が入り込んで残るスペースにグリース２３が充填され、グリース２３内には錘２５が埋められている。モールド孔１８のライニング１６が入り込む側とは反対側においては、シム２２がプレッシャプレート１７の裏面側を覆うことで、閉鎖されており、グリース２３の流出を防止している。なお、プレッシャプレート１７の隅部２４の他に、錘２５を専用に配設する孔を形成してもよい。
【００３１】
図９（ａ）は、オリジナルなディスクブレーキパッド及び図７及び図８に示す形式の制振機構を備えたディスクブレーキパッドの、幾つか（四つ）の振動数に対する減衰比を示すグラフである。ブレーキ鳴きとして聞こえるどの振動数においても、本形式の制振機構を備えたディスクブレーキパッドは、オリジナルなディスクブレーキパッドと比較して、減衰比が有意な値を示すことが判明している。また、図９（ｂ）は、パッド固有値（横軸）に対する減衰増加比（縦軸：吸振器有りの減衰比／オリジナルの減衰比）の変化を示すグラフである。どの固有値でも、少なくとも２倍、多いものでは１３倍強の増加比があることが判明している。
【００３２】
図１０には、この発明によるディスクブレーキパッドにおいてグリースのライニングへの含浸を防止する実施形態が部分断面図として示されている。図１０に示す実施形態は、図８に示す実施形態において、プレッシャプレート１７のライニング１６側とは反対側から塗装層３０が施されている。塗装層３０は、プレッシャプレート１７に貫通孔として形成された空間部であるモールド孔１８内にまで延びており、モールド孔１８の内周面及びモールド孔１８内に表れるライニング１６の表面に塗布される。その後、塗装層３０で覆われたモールド孔１８内にグリース２３が充填され、グリース２３内に錘２５が埋められ、更にシム２２がプレッシャプレート１７の裏面側を覆うことでモールド孔１８が閉鎖される。塗装層３０は、少なくともライニング１６とグリース２３との間に延びているので、モールド孔１８内においてグリース２３のライニング１６への浸透を防止する浸透防止手段として機能し、グリース２３のライニング１６への浸透を遮断する。その結果、ライニングのグリースの含浸に起因したライニングの変質、強度低下、及び性能低下といった影響を未然に防止することができる。
【００３３】
図１１は、この発明によるディスクブレーキパッドにおいてグリースのライニングへの含浸を防止する別の実施形態を示す図であり、（ａ）はカプセルの分解図、（ｂ）はカプセルが空間部に適用された状態の断面図である。図１１に示す浸透防止手段は、（ａ）に示すように、筒形の容器であるケース４１と、ケース４１の開口を密封閉鎖するキャップ４２とから成るカプセル４０である。カプセル４０内には、錘２５と錘２５を包むグリース２３とが充填されてキャップ４２で封じられている。プレッシャプレート１７に貫通孔として形成された空間部であるモールド孔１８内にカプセル４０が装着されて、シム２２で封じられている。なお、キャップ４２は、有底円筒体であるケース４１の一方の開口を密封する例として挙げたが、筒状胴部の両側の開口を密封する二つのキャップとしてもよい。カプセル４０内には、空気を残さずグリース２３と錘２５とを充填することが好ましい。カプセル４０は、グリース２３が外部に漏れ出るのを遮断するので、ライニング１６に浸透するのを防止している。
【００３４】
図１２は、この発明によるディスクブレーキパッドにおいてグリースのライニングへの含浸を防止する更に別の実施形態を示す部分断面図であり、（ｂ）は（ａ）の一部変形例である。図１２（ａ）に示す浸透防止手段は、プレッシャプレート１７に貫通孔として形成された空間部であるモールド孔１８において、ライニング１６とグリース２３との間を仕切る仕切り板５０である。モールド孔１８は、錘２５と錘２５を包むグリース２３とが充填されて、シム２２で封じられている。仕切り板５０は、モールド孔１８に嵌まり合う形状に形成されており、板の周端面５１がモールド孔１８に嵌合している。したがって、仕切り板５０は、グリース２３がライニング１６に流れてライニング１６に浸透するのを防止している。図１２（ｂ）に示す浸透防止手段では、仕切り板５２の周縁部５３がグリース２３側に湾曲して形成されており、モールド孔１８に嵌まり合っている。したがって、仕切り板５２は、湾曲した周縁部５３がモールド孔１８にシール圧力を以て当接するので、グリース２３のライニング１６側への流れを一層効果的に遮断することができる。
【図面の簡単な説明】
【００３５】
【図１】この発明によるディスクブレーキパッドの一実施形態について、アウタパッドとして適用されている状態を示す図。
【図２】この発明によるディスクブレーキパッドの一実施形態について、インナパッドとして適用されている状態を示す図。
【図３】図１に示すディスクブレーキパッドのＡ−Ａ断面図。
【図４】図２に示すディスクブレーキパッドの作動状態を示す断面図。
【図５】図３に示すディスクブレーキパッドに補助シムを追加した実施形態の断面図。
【図６】図１〜図４に示す形式のディスクブレーキパッドの特性を示すグラフ。
【図７】この発明によるディスクブレーキパッドの別の実施形態を示す図。
【図８】図７のＢ−Ｂ断面図。
【図９】図７及び図８に示す形式のディスクブレーキパッドの特性を示すグラフ。
【図１０】この発明によるディスクブレーキパッドにおいてグリースのライニングへの含浸を防止する実施形態を示す部分断面図。
【図１１】この発明によるディスクブレーキパッドにおいてグリースのライニングへの含浸を防止する別の実施形態を示す部分断面図。
【図１２】この発明によるディスクブレーキパッドにおいてグリースのライニングへの含浸を防止する更に別の実施形態を示す部分断面図。
【符号の説明】
【００３６】
１，１ａ  ディスクブレーキパッド（アウタ側）
２  ディスクブレーキパッド（インナ側）
３  固定部材                        ４  ロータ
５  キャリパ                        ６  ライニング
７  プレッシャプレート
８  凸部                            ９  凹部
１０  キャリパ爪部                １１  ピストン
１２  シム                        １２ａ  補助シム
１３  グリース                    １４  隅部
１５  錘
１６  ライニング                  １７  プレッシャプレート
１８  モールド孔                  ２２  シム
２３  グリース                    ２４  隅部
２５  錘
３０  塗装層
４０  カプセル                        ４１  ケース
４２  キャップ
５０  仕切り板                        ５１  周端面
５２  仕切り板                        ５３  周縁部
【図１】
0004714642.tif 000002
【図２】
0004714642.tif 000003
【図３】
0004714642.tif 000004
【図４】
0004714642.tif 000005
【図５】
0004714642.tif 000006
【図６】
0004714642.tif 000007
【図７】
0004714642.tif 000008
【図８】
0004714642.tif 000009
【図９】
0004714642.tif 000010
【図１０】
0004714642.tif 000011
【図１１】
0004714642.tif 000012
【図１２】
0004714642.tif 000013